(57)【特許請求の範囲】
【請求項１】
海側と川側の境界で、川の両側の防波堤にそれぞれ杭基礎を設け、同両側の杭基礎間には、各杭基礎に端部を係止され、深さ方向で水面上に一部を突出して全水深に亘って延びると共に幅方向で前記両側の杭基礎間に亘って延び、前記両側の防波堤で入口を規制された水路を開閉する遮蔽体を設け、同遮蔽体は複数の膜部材を水深方向に延びるヒンジにより隣同士で連結し、同ヒンジにより蛇腹状に屈伸する膜構造体で形成し、かつ、水路中央部の膜構造体間は着脱自在なヒンジ連結としたことを特徴とする防潮・防波堤。
【請求項２】
前記遮蔽体は前記蛇腹状に屈伸する膜構造体に代えて、複数の鋼製トラスを水深方向に延びるヒンジにより隣同士で連結し、海側に膜部材を係止した膜構造体で形成し、かつ、水路中央部の膜造体間は着脱自在なヒンジ連結としたことを特徴とする請求項１に記載の防潮・防波堤。
【請求項３】
前記遮蔽体は前記蛇腹状に屈伸する膜構造体に代えて、水深方向及び川幅方向に複数の鋼製箱を連結した複数の鋼製箱型構造体を水深方向に延びるヒンジにより隣同士で連結して形成し、かつ、水路中央部の鋼製箱型構造体間は着脱自在なヒンジ連結としたことを特徴とする請求項１に記載の防潮・防波堤。
【発明の詳細な説明】
【０００１】
【発明の属する技術分野】
本発明は、海側と川側の境界位置に設けられて、大規模な防災用等として特に有用な締切り構造物で構成した防潮・防波堤に関するものである。
【０００２】
【従来の技術】
図１７及び図１８に基づいて従来のこの種装置の概要を説明する。
図１７は従来の大スパン防潮扉の構造概要の内、水路閉塞時を示す平面図、図１８は同水路開口時を示す平面図である。
【０００３】
従来のこの種防潮・防波堤は、海側と川側の境界位置において、海側へ向かって扇状に開く形に左右一対の円弧状をした鋼製の扉体５１Ｒ、５１Ｌを配している（他の構成部材も含め、図面に向かって右側にＲ、左側にＬの文字を付して区別している）。
【０００４】
そしてこの各々の扉体５１Ｒ、５１Ｌを、対応する各格納広場５５Ｒ、５５Ｌに設置した球面軸受５４Ｒ、５４Ｌを中心に、扉体支持材５２Ｒ、５２Ｌを介して円周方向へ回転移動可能（川幅中央並びに格納広場５５Ｒ、５５Ｌの円周範囲）な機構としている。
【０００５】
従って平常時には、図１８に示す様に、扉体５１Ｒ、５１Ｌは対応する各々の格納広場５５Ｒ、５５Ｌ側に設けた扉体格納ドッグ５３Ｒ、５３Ｌ内に収納されている。なお、扉体５１Ｒ、５１Ｌは注排水可能なタンク状に構成され、扉体格納ドッグ５３Ｒ、５３Ｌには図示省略の開閉扉が設けられ、扉体５１Ｒ、５１Ｌと同様に注排水可能に構成されている。
【０００６】
他方、高潮時、台風来襲の防災時等には、扉体格納ドッグ５３Ｒ、５３Ｌ内に充水して扉体５１Ｒ、５１Ｌを浮上し、川幅中央方向へスイング移動した後、各扉体５１Ｒ、５１Ｌの川幅中央側端部を接した形に水路を閉塞する。
【０００７】
なお、水路閉塞後には、扉体５１Ｒ、５１Ｌ内に充水し、同扉体５１Ｒ、５１Ｌを前記スイング移動の軌跡に沿って河床に設置されている河床保護ブロック５６Ｒ、５６Ｌ上に沈降させ、水路の閉塞を強固、安定なものとする。
【０００８】
【発明が解決しようとする課題】
しかしながら、前記した従来の防潮・防波堤は、扉体５１Ｒ  ５１Ｌの大スパン化に対してそれ自体の構造的対応が困難となり、しかも大掛かりな工事となることに加え、扉体格納ドッグ５３Ｒ  ５３Ｌを含め占有面積を広く確保する必要があり、都会等での土地確保が困難という問題に直面する。
【０００９】
また、大規模な河床、海底の基礎工事を必要とすることにより、工期・工費が嵩むに止まらず、この様な大規模な設備は景観を阻害し、また、環境汚染等周辺地域に与える問題は多様化することになる。
【００１０】
本発明は、このような従来の防潮・防波堤における問題点を解消し、構造的対応の容易化、設置面積の縮小化、基礎工事の小規模化等々により経済効果を高め、かつ、景観阻害、環境汚染等を抑制して地域社会へ悪影響を与えない様にした防潮・防波堤を提供することを課題とするものである。
【００１１】
【課題を解決するための手段】
本発明は前記した課題を解決すべくなされたもので、その第１の手段として、海側と川側の境界で、川の両側の防波堤にそれぞれ杭基礎を設け、同両側の杭基礎間には、各杭基礎に端部を係止され、深さ方向で水面上に一部を突出して全水深亘って延びると共に幅方向で前記両側の杭基礎間に亘って延び、前記両側の防波堤で入口を規制された水路を開閉する遮蔽体を設け、同遮蔽体は複数の膜部材を水深方向に延びるヒンジにより隣同士で連結し、同ヒンジにより蛇腹状に屈伸する膜構造体で形成し、かつ、水路中央部の膜構造体間は着脱自在なヒンジ連結とした防潮・防波堤を提供するものである。
【００１２】
すなわち、同第１の手段によれば、基本的な構成として、海側と川側の境界位置において、川の両側の防波堤に設けた杭基礎に端部を係止され、同防波堤で入口を規制された水路を開閉する遮蔽体は、深さ方向で水面上に一部を突出して全水深に亘って延びると共に幅方向で前記両側の杭基礎間に亘って延びて形成されているので、この遮蔽体は簡便な構造により製作、取扱い等が容易となり、設置面積、基礎工事等を小規模化し、周辺環境の破壊のおそれもなく、しかも防波堤に設けた杭基礎に安定的に係止されて確実に所期の狙いを達成するものである。
【００１６】
前記に加えて同第１の手段によれば、前記したように深さ方向で水面上に一部を突出して全水深に亘って延びると共に幅方向で前記川の両側の杭基礎間に亘って延びて形成されて水路を開閉する遮蔽体は、水深方向に延びるヒンジで複数の膜部材を隣同士で連結して蛇腹状に屈伸する膜構造体で形成し、かつ、水路中央部の膜構造体間は着脱自在なヒンジ連結しているので、この遮蔽体は、前記した他の手段と同様に製作、取扱いが容易な簡便構造なものとなり、設置面積、基礎工事等を小規模化し、景観阻害、環境汚染等地域社会へ悪影響を与えるおそれもなく、適切に所期の狙いを達成するものである。
【００１７】
また、本発明は第２の手段として、前記第１の手段において、前記遮蔽体は前記蛇腹状に屈伸する膜構造体に代えて、複数の鋼製トラスを水深方向に延びるヒンジにより隣同士で連結し、海側に膜部材を係止した膜構造体で形成し、かつ、水路中央部の膜造体間は着脱自在なヒンジ連結とした防潮・防波堤を提供するものである。
【００１８】
すなわち、同第２の手段によれば、前記したように深さ方向で水面上に一部を突出して全水深に亘って延びると共に幅方向で前記川の両側の杭基礎間に亘って延びて形成されて水路を開閉する遮蔽体は前記蛇腹状に屈伸する膜構造体に代えて、水深方向に延びるヒンジにより複数の鋼製トラスを隣同士で連結してその海側に膜部材を係止して構成され、かつ、水路中央部の膜造体間は着脱自在なヒンジ連結しているので、この遮蔽体は、前記した他の手段と同様に製作、取扱いが容易な簡便構造なものとなり、設置面積、基礎工事等を小規模化し、景観阻害、環境汚染等地域社会へ悪影響を与えるおそれもなく、適切に所期の狙いを達成するものである。
【００１９】
更にまた、本発明は第３の手段として、前記第１の手段において、前記遮蔽体は前記蛇腹状に屈伸する膜構造体に代えて、水深方向及び川幅方向に複数の鋼製箱を連結した複数の鋼製箱型構造体を水深方向に延びるヒンジにより隣同士で連結して形成し、かつ、水路中央部の鋼製箱型構造体間は着脱自在なヒンジ連結とした防潮・防波堤を提供するものである。
【００２０】
すなわち、同第３の手段によれば、前記したように深さ方向で水面上に一部を突出して全水深に亘って延びると共に幅方向で前記川の両側の杭基礎間に亘って延びて形成されて水路を開閉する遮蔽体は前記蛇腹状に屈伸する膜構造体に代えて、水深方向に延びるヒンジを用いて、水深方向及び川幅方向に複数の鋼製箱を連結した複数の鋼製箱型構造体を隣同士で連結して構成し、かつ、水路中央部の鋼製箱型構造体間は着脱自在なヒンジ連結としているので、この遮蔽体は、前記した他の手段と同様に製作、取扱いが容易な簡便構造なものとなり、設置面積、基礎工事等を小規模化し、景観阻害、環境汚染等地域社会へ悪影響を与えるおそれもなく、適切に所期の狙いを達成するものである。
【００２１】
【発明の実施の形態】
本発明の参考例について図１乃至図４に基づいて説明する。
【００２２】
図１は本参考例に係る防潮・防波堤の水路閉塞時を示す簡易平面図、図２は水路開口動作時を示す簡易平面図、図３は図１の矢視Ａ−Ａによる側断面図、図４は図３の矢視Ｂ−Ｂによる正面図である。
【００２３】
すなわち、本参考例においては、海側と川側の境界位置において、川を挟んで左右両側で海に面して配置された防波堤３Ｒ、３Ｌは、川の両側で対峙する両端位置にそれぞれジャケット式の鋼管杭基礎２Ｒ、２Ｌを設け、同鋼管杭基礎２Ｒ、２Ｌに端部を係止されてその間に延び、前記防波堤３Ｒ、３Ｌで入口を規制された水路を開閉する遮蔽体となる膜構造体１を設けている。
【００２４】
そしてこの膜構造体１は、図３、図４に示す様に、軸剛性抵抗を受けるケーブルワイヤー１ｂを上下方向（水深方向）で互いに所定間隔離して複数本配置し、各ケーブルワイヤー１ｂを支持すべく複数の梁部材１ｃ（鉄鋼材、樹脂材等）をケーブルワイヤー１ｂの長手方向で所定間隔離した位置で水深方向に延ばして各ケーブルワイヤー１ｂと直交させて設け、同ケーブルワイヤー１ｂと梁部材１ｃを係止させ、これにテフロン(登録商標・以下同じ）膜，アラミド繊維，ＦＲＰ等の材質で形成した膜部材１ａを海側より張り付く形に係止させ、テンション構造で構成している。
【００２５】
従って本参考例では、前記左右両側の防波堤３Ｒ、３Ｌで入口を規制した水路を閉塞した時には、図１に示す様に、潮流の関係から展張された膜構造体１には図示矢印方向からの水圧を受ける。
【００２６】
その断面内の水圧に対しては、前記膜部材１ａで支持させ、その水圧により生ずる軸方向（水路幅方向）への引張力はケーブルワイヤー１ｂで受け、その引張力に対抗させるべく反力（図中矢印）に対してはジャケット式の鋼管杭基礎２Ｒ、２Ｌにより支持する。
【００２７】
なお、水路を開閉するために膜構造体１を移動するには、曳航船４を使用し、図２に水路開口時の膜構造体１の移動方式を例示（水路閉塞時には逆の動作を行えばよい）するように、膜構造体１の一方の端部を曳航船４により牽引し、防波堤３Ｒ、３Ｌと平行する位置で水路航行の障害とならないスペースへ収納する様にしている。
【００２８】
この様に本参考例においては、潮流により水圧を受ける膜部材１ａを含み、同膜部材１ａから同水圧を軸方向（水路幅方向）へ引張力として伝える上下複数のケーブルワイヤー１ｂとそれを支持する梁部材１ｃで膜構造体１を形成し、その引張力を打ち消す反力を生むジャケット式の鋼管杭基礎２Ｒ、２Ｌから構成されており、構造が極めてシンプルでありながら強度的にも十分適用出来、防潮堤若しくは防波堤としての機能を十二分に発揮するものである。
【００２９】
従って本参考例によれば、軸剛性抵抗のみ受けるテンション構造により構造の簡素化、及び思い切った軽量化が図れ、大スパンの水門、水路入口の締切り構造に対応可能となり、また、平常時の収納がコンパクト化出来るので周囲の景観を損なうこともなく、更に、海底における基礎工事等の大幅削減により環境への影響が少ない等々種々の効果を奏する好適な防潮堤又は防波堤を得ることが出来たものである。
【００３０】
次に本発明の実施の第１形態について、図５乃至図８に基づいて説明する。図５は本実施の形態に係る防潮・防波堤の水路閉塞時を示す簡易平面図、図６は水路開口動作時を示す簡易平面図、図７は図５のＣ−Ｃ矢視による側断面図、図８は図７の矢視Ｄ−Ｄによる正面図である。
【００３１】
すなわち、本実施の形態においては、テフロン膜，アラミド繊維，ＦＲＰ等の材質でなる膜部材２５ａ、鉄鋼材または樹脂材等で例えば格子状に組まれた支持材２５ｂ、ヒンジ２６等からなる複数の膜構造体２５を、隣接同士互いにヒンジ２６連結し（水路中央付近の膜構造体２５間は着脱自在なヒンジ連結とするが好ましい）、水路部両端側に設置されたジャケット式の鋼管杭基礎２２Ｒ、２２Ｌで両端支持するテンション構造で構成している。
【００３２】
従って本実施の形態では、左右両側の防波堤で入口を規制した水路を閉塞した時には、図５に示す様に、潮流の関係から展張された膜構造体２５には図示矢印方向からの水圧を受ける。
【００３３】
その断面内の水圧に対しては、膜部材２５ａで受けさせ、その水圧により生ずる軸方向（水路幅方向）への引張力は膜部材２５ａを支持する支持材２５ｂ並びにヒンジ２６部でそれぞれ軸方向へ引張力を伝えていき、その引張力に対抗させるべく反力（図中矢印）に対しては、ジャケット式の鋼管杭基礎２２Ｒ、２２Ｌにより支持する。
【００３４】
なお水路開閉に際しては前記参考例と同様に曳航船を使用すればよく、例えば水路の開口時には、図６に示す様に前記水路部中央付近より膜構造体２５を２分割に切り離し、左右に分かれる膜構造体２５をそれぞれ近接するジャケット式の鋼管杭基礎２２Ｒ、２２Ｌ側へ向けて図示省略の曳航船等を用いて蛇腹式に収納し水路を開放する。
【００３５】
この様に本実施の形態においては、潮流により水圧を受ける膜部材２５ａから同水圧を軸方向（水路幅方向）へ引張力として伝える支持材２５ｂ、ヒンジ２６等で膜構造体２５を形成し、その引張力を打ち消す反力を生むジャケット式の鋼管杭基礎２２Ｒ、２２Ｌから構成されており、構造がシンプルでありながら強度的にも十分適用出来、防潮堤若しくは防波堤としての機能を十二分に発揮するものである。
【００３６】
従って本実施の形態によれば前記参考例と同様に、軸剛性抵抗のみ受けるテンション構造により構造の簡素化、及び思い切った軽量化が図れ、大スパンの水門締め切り構造に対応可能となり、また、平常時の収納がコンパクト化出来るので周囲の景観を損なうこともなく、更に、海底における基礎工事等の大幅削減により環境への影響が少ない等々種々の効果を奏する好適な防潮堤又は防波堤を得ることが出来たものである。
【００３７】
次に本発明の実施の第２形態について、図９乃至図１２に基づいて説明する。図９は本実施の形態に係る鋼製トラス構造体を用いた防潮・防波堤の水路閉塞時を示す簡易平面図、図１０は水路開口時の簡易平面図、図１１は図９の鋼製トラス構造体の部分正面図、図１２は同鋼製トラス構造体の側面図である。
【００３８】
すなわち、本実施の形態においては、前記実施の第１形態における支持材２５ｂに該当する部位を鋼製トラス３７で構成し、その前面（海側）に膜部材（板部材、パネル部材であってもよい）３７ａを係止させ、複数の鋼製トラス３７を隣接同士互いにヒンジ３８で連結し（水路中央付近の膜構造体間のみ着脱自在なヒンジ連結とする）、水路の両側の防波堤に設置されたジャケット式の鋼管杭基礎３２Ｒ、３２Ｌ間の遮蔽体となる防潮堤若しくは防波堤を形成している。
【００３９】
従って本実施の形態では、左右両側の防波堤で入口を規制した水路を閉塞した時には、図９に示す様に、潮流の関係から展張された鋼製トラス３７には図示矢印方向からの水圧を受ける。
【００４０】
その断面内の水圧に対しては膜部材（または板部材、パネル部材）３７ａで受けさせ、その水圧により生ずる軸方向（水路幅方向）への引張力は鋼製トラス３７並びにヒンジ３８部でそれぞれ軸方向へ伝えていき、その引張力に対抗させるべく反力（図中矢印）に対しては、ジャケット式の鋼管杭基礎３２Ｒ、３２Ｌにより支持する。
【００４１】
なお水路開閉に際しては前記参考例、実施の第１形態と同様に曳航船を使用すればよく、例えば水路の開口時には、図１０に示す様に鋼製トラス３７を前記水路部中央付近より２分割に切り離し、これを図示省略の曳航船等で牽引し防波堤等と平行する位置で水路航行の障害とならないスペースへ収納する。
【００４２】
この様に本実施の形態においては、潮流により水圧を受ける膜部材（または板部材、パネル部材）３７ａ、同水圧を軸方向（水路幅方向）へ引張力として伝える鋼製トラス３７、ヒンジ３６等で膜構造体３７ｂを形成し、前記水圧により生ずる引張力を打ち消す反力を生むジャケット式の鋼管杭基礎３２Ｒ、３２Ｌ等を含めて構成され、構造がシンプルでありながら強度的にも十分適用出来、防潮堤若しくは防波堤としての機能を十二分に発揮するものである。
【００４３】
従って本実施の形態によれば前記した他の実施の形態と同様に軸剛性抵抗のみ受けるテンション構造により構造の簡素化、及び思い切った軽量化が図れ、大スパンの水門締め切り構造に対応可能となり、また、平常時の収納がコンパクト化出来るので周囲の景観を損なうこともなく、更に、海底における基礎工事等の大幅削減により環境への影響が少ない等々種々の効果を奏する好適な防潮堤又は防波堤を得ることが出来たものである。
【００４４】
次に本発明の実施の第３形態について、図１３乃至図１６に基づいて説明する。図１３は本実施の形態に係る鋼製箱形構造体を用いた防潮・防波堤の水路閉塞時を示す簡易平面図、図１４は水路開口時の簡易平面図、図１５は図１３の鋼製箱形構造体の部分正面図、図１６は同鋼製箱形構造体の側面図である。
【００４５】
なお本実施の形態は、前記実施の第２形態の一部の変形であり、同実施の第２形態における鋼製トラス３７、及びこれに係止される膜部材（または板部材、パネル部材）３７ａに代えて、鋼製箱形構造体４９を採用したものである。
【００４６】
すなわち、図１５、図１６等より理解されるように内部に骨材を有して箱型に形成された鋼製箱形構造体４９、ヒンジ４８等からなる複数の箱構造体４９ａを隣接同士互いにヒンジ４８連結し（水路中央付近のもののみ着脱自在なヒンジ連結とする）、水路部両端側に設置されたジャケット式鋼管杭基礎４２Ｒ、４２Ｌ間の遮蔽体となる防潮堤若しくは防波堤を形成している。
【００４７】
従って本実施の形態では、左右両側の防波堤で入口を規制した水路を閉塞した時には、図１３に示す様に、潮流の関係より展張された鋼製箱形構造体４９には、図示矢印方向からの水圧を受ける。
【００４８】
その断面内の水圧及びその水圧により生ずる軸方向（水路幅方向）への引張力に対しては、鋼製箱形構造体４９並びにヒンジ４８部でそれぞれ軸方向へ伝えていき、その引張力に対抗させるべく反力（図中矢印）に対しては、ジャケット式の鋼管杭基礎４２Ｒ、４２Ｌにより支持する。
【００４９】
なお、水路開閉に際しては前記実施の第２形態の鋼製トラス３７と同様に鋼製箱形構造体４９が扱われればよく、その余の作用効果も前記実施の第２形態と同様であるので、必要に応じて前記実施の第２形態に於ける鋼製トラス３７を鋼製箱形構造体４９と読み替え、その説明を全面的に援用し、以下重複する説明を省略する。
【００５０】
以上、本発明を図示の実施の形態について説明したが、本発明はかかる実施の形態に限定されず、本発明の範囲内でその具体的構造に種々の変更を加えてよいことはいうまでもない。
【００５１】
【発明の効果】
以上、本出願の請求項１に記載の発明によれば、海側と川側の境界で、川の両側の防波堤にそれぞれ杭基礎を設け、同両側の杭基礎間には、各杭基礎に端部を係止され、深さ方向で水面上に一部を突出して全水深に亘って延びると共に幅方向で前記両側の杭基礎間に亘って延び、前記両側の防波堤で入口を規制された水路を開閉する遮蔽体を設け、同遮蔽体は複数の膜部材を水深方向に延びるヒンジにより隣同士で連結し、同ヒンジにより蛇腹状に屈伸する膜構造体で形成し、かつ、水路中央部の膜構造体間は着脱自在なヒンジ連結として防潮・防波堤を構成しているので、深さ方向で水面上に一部を突出して全水深に亘って延びると共に幅方向で前記両側の杭基礎間に亘って延びて形成されると共に川の両側の防波堤に設けた杭基礎に端部を係止され、同防波堤で入口を規制された水路を開閉する遮蔽体は、簡便な構造により製作、取扱い等が容易となり、設置面積、基礎工事等を小規模化し、周辺環境の破壊のおそれもなく、しかも防波堤に設けた杭基礎に係止されて安定性を確保し、経済効果を高め、周辺環境に悪影響を与えることのない好適な防潮・防波堤を得ることが出来たものである。
【００５３】
前記に加えて本出願の請求項１に記載の発明においては、前記遮蔽体は、複数の膜部材を水深方向に延びるヒンジにより隣同士で連結し、同ヒンジにより蛇腹状に屈伸する膜構造体で形成し、かつ、水路中央部の膜構造体間は着脱自在なヒンジ連結として防潮・防波堤を構成しているので、水深方向に延びるヒンジで複数の膜部材を連結して蛇腹状に屈伸する膜構造体で形成され、川の両側の杭基礎間に亘って延びて形成されて水路を開閉する遮蔽体は、製作、取扱いが容易な簡便構造なものとなり、設置面積、基礎工事等を小規模化し、景観阻害、環境汚染等地域社会へ悪影響を与えるおそれもなく、経済効果を高め、周辺環境に悪影響を与えることのない好適な防潮・防波堤を得ることが出来たものである。
【００５４】
また、請求項２に記載の発明によれば、前記請求項１に記載の発明において、前記遮蔽体は前記蛇腹状に屈伸する膜構造体に代えて、複数の鋼製トラスを水深方向に延びるヒンジにより隣同士で連結し、海側に膜部材を係止した膜構造体で形成し、かつ、水路中央部の膜構造体間は着脱自在なヒンジ連結として防潮・防波堤を構成しているので、水深方向に延びるヒンジにより複数の鋼製トラスを連結してその海側に膜部材を係止して構成され、川の両側の杭基礎間に亘って延びて形成されて水路を開閉する遮蔽体は、前記した請求項１に記載の発明と同様に製作、取扱いが容易な簡便構造なものとなり、設置面積、基礎工事等を小規模化し、景観阻害、環境汚染等地域社会へ悪影響を与えるおそれもなく、経済効果を高め、周辺環境に悪影響を与えることのない好適な防潮・防波堤を得ることが出来たものである。
【００５５】
更にまた、請求項３に記載の発明によれば、前記請求項１に記載の発明において、前記遮蔽体は前記蛇腹状に屈伸する膜構造体に代えて、水深方向及び川幅方向に複数の鋼製箱を連結した複数の鋼製箱型構造体を水深方向に延びるヒンジにより隣同士で連結して形成し、かつ、水路中央部の鋼製箱型構造体間は着脱自在なヒンジ連結として防潮・防波堤を構成しているので、水深方向に延びるヒンジを用いて、水深方向及び川幅方向に複数の鋼製箱を連結した複数の鋼製箱型構造体を連結して構成し、川の両側の杭基礎間に亘って延びて形成されて水路を開閉する遮蔽体は、前記した他の請求項に記載の発明と同様に製作、取扱いが容易な簡便構造なものとなり、設置面積、基礎工事等を小規模化し、景観阻害、環境汚染等地域社会へ悪影響を与えるおそれもなく、経済効果を高め、周辺環境に悪影響を与えることのない好適な防潮・防波堤を得ることが出来たものである。
【図面の簡単な説明】
【図１】  本発明の参考例に係る防潮・防波堤の水路閉塞時を示す簡易平面図である。
【図２】  同参考例の水路開口動作時を示す簡易平面図である。
【図３】図１の矢視Ａ−Ａによる側断面図である。
【図４】図３の矢視Ｂ−Ｂによる正面図である。
【図５】  本発明の実施の第１形態に係る防潮・防波堤の水路閉塞時を示す簡易平面図である。
【図６】  同実施の第１形態の水路開口動作時を示す簡易平面図である。
【図７】図５のＣ−Ｃ矢視による側断面図である。
【図８】図７の矢視Ｄ−Ｄによる正面図である。
【図９】  本発明の実施の第２形態に係る鋼製トラス構造体を用いた防潮・防波堤の水路閉塞時を示す簡易平面図である。
【図１０】  同実施の第２形態の水路開口時の簡易平面図である。
【図１１】図９の鋼製トラス構造体の部分正面図である。
【図１２】図９の鋼製トラス構造体の側面図である。
【図１３】  本発明の実施の第３形態に係る鋼製箱形構造体を用いた防潮・防波堤の水路閉塞時を示す簡易平面図である。
【図１４】  同実施の第３形態の水路開口時の簡易平面図である。
【図１５】図１３の鋼製箱形構造体の部分正面図である。
【図１６】図１３の鋼製箱形構造体の側面図である。
【図１７】従来の大スパン防潮扉の構造概要の内、水路閉塞時を示す平面図である。
【図１８】図１７の水路開口時を示す平面図である。
【符号の説明】
１                膜構造体
１ａ              膜部材
１ｂ              ケーブルワイヤー
１ｃ              梁部材
２Ｒ、２Ｌ        鋼管杭基礎
３Ｒ、３Ｌ        防波堤
４                曳航船
２２Ｒ、２２Ｌ      鋼管杭基礎
２５                膜構造体
２６                ヒンジ
２５ａ              膜部材
２５ｂ              支持材
３２Ｒ、３２Ｌ      鋼管杭基礎
３７                鋼製トラス
３７ａ              膜部材
３７ｂ              膜構造体
３８                ヒンジ
４２Ｒ、４２Ｌ      鋼管杭基礎
４８                ヒンジ
４９                鋼製箱型構造体
４９ａ              箱構造体
５１Ｒ、５１Ｌ      扉体
５２Ｒ、５２Ｌ      扉体支持材
５３Ｒ、５３Ｌ      扉体格納ドッグ
５４Ｒ、５４Ｌ      球面軸受
５５Ｒ、５５Ｌ      格納広場
５６Ｒ、５６Ｌ      河床保護ブロック
【図１】
0004508479.tif 000002
【図２】
0004508479.tif 000003
【図３】
0004508479.tif 000004
【図４】
0004508479.tif 000005
【図５】
0004508479.tif 000006
【図６】
0004508479.tif 000007
【図７】
0004508479.tif 000008
【図８】
0004508479.tif 000009
【図９】
0004508479.tif 000010
【図１０】
0004508479.tif 000011
【図１１】
0004508479.tif 000012
【図１２】
0004508479.tif 000013
【図１３】
0004508479.tif 000014
【図１４】
0004508479.tif 000015
【図１５】
0004508479.tif 000016
【図１６】
0004508479.tif 000017
【図１７】
0004508479.tif 000018
【図１８】
0004508479.tif 000019